(57)【要約】【課題】ポケット付カレンダーにおいて、暦を印刷したカレンダー用紙を別途用意することなくカレンダーに容易に書き込みが可能で且つポケットの挿入口を容易に視認することが可能で、貼付面に繰り返し貼ったり剥がしたりすることが可能なポケット付カレンダーを提供する。【解決手段】日付と書き込みスペースが設けられた月を印刷したカレンダー印刷面２が下シート１に形成され、カレンダー印刷面２の下方に三辺がシールされるとともに、残りの一辺が開放されて挿入口１１が形成されたポケット１０が設けられ、下シート１の裏側面には貼着面に繰り返し貼着剥離可能な貼着剥離層が設けられているポケット付カレンダーに、ポケット１０の挿入口１１の位置を示す挿入口位置表示目印１２が設けられているポケット付カレンダー。【選択図】図４
2015131396.tif 000002
【特許請求の範囲】
【請求項１】
日付と書き込みスペースが設けられたカレンダーを印刷したカレンダー印刷面が下シートに形成され、前記カレンダー印刷面上に三辺がシールされるとともに、残りの一辺が開放されて挿入口が形成されたポケットが設けられ、前記下シートの裏側面には貼着面に繰り返し貼着剥離可能な貼着剥離層が設けられているポケット付カレンダーにおいて、
前記ポケットの前記挿入口の位置を示す挿入口位置表示目印が設けられていることを特徴とするポケット付カレンダー。
【請求項２】
前記ポケットの上辺にラインで挿入口の位置を示す挿入口位置表示目印が設けられていることを特徴とする請求項1に記載のポケット付カレンダー。
【請求項３】
前記カレンダー印刷面の挿入口の位置に挿入口の位置を示す挿入口位置表示目印が設けられていることを特徴とする請求項1に記載のポケット付カレンダー。
【請求項４】
前記ポケットの色をカレンダー印刷面と異なる色にしてポケットの色とカレンダー印刷面とのポケットの色違いの境により挿入口の位置を示す挿入口位置表示目印が設けられていることを特徴とする請求項1に記載のポケット付カレンダー。
【請求項５】
前記ポケットが透明の下シートと透明の上シートで形成されるとともに、下シートのポケットの部分の裏面に貼着剥離層が設けられていない透明なポケットと不透明なカレンダー印刷面との境により挿入口の位置を示す挿入口位置表示目印が設けられていることを特徴とする請求項1に記載のポケット付カレンダー。
【発明の詳細な説明】
【技術分野】
【０００１】
本発明は、書き込み可能なカレンダーの印刷面と、メモ用紙、レシートなどのシート類や小物の出し入れが可能なポケットを備えたポケット付カレンダーに関する。
【背景技術】
【０００２】
カレンダーには種々のものが使用されており、そのなかに書き込み可能なカレンダーとして、例えば吊り下げ式カレンダーが利用されている。この吊り下げ式カレンダーは、複数枚のカレンダー用紙が綴じ具で綴じられており、使用時には綴じ具に設けられた吊り下げ用孔にピンを通して壁に刺したり、あるいは吊り下げ用孔を壁に固定されたフックに掛けたりして吊り下げられる。
【０００３】
前記従来の吊り下げ式カレンダーは、カレンダーを吊り下げるためにカレンダーの吊り下げ用孔に通すピンやフックが必要であるが、カレンダーを吊り下げたい箇所が硬い壁やガラスなどではピンを刺すことができなかったり、逆に柔らかい障子などではピンを保持したり或いはフックを設けることができなかったりするため、吊り下げ箇所が制限されていた。
【０００４】
また、吊り下げ式カレンダーには直接書き込み可能になっているものもあるが、カレンダーの吊り下げ箇所が、カレンダーに直接書き込みにくい箇所、例えば高い位置などの場合、書き込みの際にはカレンダーをピンやフックから外し、書き込み後にピンやフックにかけて再度つり下げるために手間がかかるという煩わしさもあった。
【０００５】
そこで、本出願人は、平滑な面に繰り返し貼着、剥離可能であるとともに、カレンダー用紙に直接書き込んでカレンダー用紙収納袋に収納あるいはカレンダー用紙をカレンダー用紙収納袋から取り出して書き込み可能なカレンダーを提案した（特許文献１参照）。
【０００６】
また、本出願人は、書き込み可能なカレンダーとして、暦を印刷したカレンダー用紙の出し入れ口が形成されるとともに、保持したカレンダー用紙に直接書き込みができるように窓部が形成されているカレンダー用紙保持枠が形成され、その下方にレシートやメモなどを収納するポケットが形成され、裏側シートの裏面には壁や家具などの貼着面に繰り返し貼着剥離可能な貼着剥離層が形成されているポケット付カレンダーを提案した（特許文献２の図９参照）。
【先行技術文献】
【特許文献】
【０００７】
【特許文献１】特開２０１２−７６４０５号公報
【特許文献２】特開２０１３−１０１８６号公報
【発明の概要】
【発明が解決しようとする課題】
【０００８】
前記特許文献１，２に記載されたカレンダーは、カレンダー用紙をカレンダー用紙収納袋あるいはカレンダー用紙保持枠に収納するためにカレンダー用紙収納袋あるいはカレンダー用紙保持枠を設ける必要があり、さらに、カレンダー用紙を別途用意しなくてはならないばかりでなく、このカレンダー用紙を毎月あるいは数ヶ月ごとに入れ替えなければならないため、カレンダー用紙の交換に手間がかかるという欠点がある。
【０００９】
また、前記特許文献２のカレンダーでは、ポケットが薄い透明シート製であるためにポケットの上縁が視認しにくいことから、カレンダー用紙の挿入の際にポケットの挿入口を見つけにくいという欠点があった。
【００１０】
そこで、本発明は、ポケット付カレンダーにおいて、暦を印刷したカレンダー用紙を別途用意することなくカレンダーに直接書き込みが可能で、且つポケットの挿入口を容易に視認することが可能であり、さらに貼付面に繰り返し貼ったり剥がしたりすることが可能なポケット付カレンダーを提供するものである。
【課題を解決するための手段】
【００１１】
本願請求項1に記載の発明は、日付と書き込みスペースが設けられたカレンダーを印刷したカレンダー印刷面が下シートに形成され、前記カレンダー印刷面上に三辺がシールされるとともに、残りの一辺が開放されて挿入口が形成されたポケットが設けられ、前記下シートの裏側面には貼着面に繰り返し貼着剥離可能な貼着剥離層が設けられているポケット付カレンダーにおいて、前記ポケットの前記挿入口の位置を示す挿入口位置表示目印が設けられていることを特徴とするポケット付カレンダーである。
【００１２】
本願請求項２に記載の発明は、前記ポケットの上辺にラインで挿入口の位置を示す挿入口位置表示目印が設けられていることを特徴とする請求項1に記載のポケット付カレンダーである。
【００１３】
本願請求項３に記載の発明は、前記カレンダー印刷面の挿入口の位置に挿入口の位置を示す挿入口位置表示目印が設けられていることを特徴とする請求項1に記載のポケット付カレンダーである。
【００１４】
本願請求項４に記載の発明は、前記ポケットの色をカレンダー印刷面と異なる色にしてポケットの色とカレンダー印刷面とのポケットの色違いの境により挿入口の位置を示す挿入口位置表示目印が設けられていることを特徴とする請求項1に記載のポケット付カレンダーである。
【００１５】
本願請求項５に記載の発明は、前記ポケットが透明の下シートと透明の上シートで形成されるとともに、下シートのポケットの部分の裏面に貼着剥離層が設けられていない透明なポケットと不透明なカレンダー印刷面との境により挿入口の位置を示す挿入口位置表示目印が設けられていることを特徴とする請求項1に記載のポケット付カレンダーである。
【発明の効果】
【００１６】
本発明では、カレンダーを下シートに直接印刷するため、カレンダー用紙を別途用意する必要がなく且つカレンダー用紙を保持するための袋や保持枠を設ける必要もなく、そのために容易に書き込みが可能となる。
【００１７】
本発明では、ポケットの収納口の回りに挿入口識別目印を設けることによりポケットの収納口がすぐ視認でき、シート類を容易に挿入できるようになるので、シート類の出し入れに手間がかからなくなる。
【００１８】
本発明は、再剥離糊層により、ガラス、金属、木材、タイル、陶磁器、樹脂、紙などの平滑な表面に繰り返し貼着剥離できるので、机まわり、壁、冷蔵庫、ノート等、いたる所に貼ることができる。
【００１９】
また、本発明のカレンダーは、書き込みしやすい位置に貼ることができまた、直接書き込みしにくい場合には容易に剥離して筆記した後貼付できるので、カレンダーへの書き込みが容易にできる。
【図面の簡単な説明】
【００２０】
【図１】本発明のポケットカレンダーの実施例1の正面図である。
【図２】本発明のポケットカレンダーの実施例1の背面図である。
【図３】本発明のポケットカレンダーにおける貼着剥離層の断面図である。
【図４】実施例1において、紙片を挿入した状態を示す図である。
【図５】本発明のポケットカレンダーの実施例２の正面図である。
【図６】本発明のポケットカレンダーの実施例３の正面図である。
【図７】本発明のポケットカレンダーの実施例４の背面図である。
【発明を実施するための形態】
【００２１】
本発明の実施例について図面を参照しながら説明する。
【実施例１】
【００２２】
図１及び図２において、合成樹脂製のシート材、例えばポリプロピレン製の下シート１の表面にカレンダーが印刷されてカレンダー印刷面２が形成される。カレンダーには、日付とその回りに書き込みスペース３が設けられている。カレンダー印刷面２は、書き込みスペース３に行事などが筆記具で直接書き込みできるように、例えばＤＭ用インキを塗布する等の加工が施されている。
【００２３】
カレンダー印刷面２は、図１に示すように、一月分、３か月分あるいは半年分など用途などに応じて印刷する。本実施例では、３か月分を限られた上下スペースにできるだけ大きく表示できるように、月ごとに行を改めることなく日付を表示するとともに、月を区切る境界線を太線としている。  
【００２４】
図２に示すように下シート１の裏面には壁や家具などの貼着面に繰り返し貼着剥離可能な貼着剥離層５が形成されている。図３に示すように、貼着５は、下シート１に貼着するための強粘着糊層６（例えば、リンテック（株）製「ＰＷ糊」）に表面に仕切りシート７を介して再剥離糊層８（例えば、リンテック（株）製「リピール」）が積層されている。再剥離糊層８には剥離シート９が積層されており、剥離シート９は、貼着時にめくって剥離して除き、再剥離糊層８を露出させる。１０は後述するポケットである。
【００２５】
本実施例では、貼着剥離層５を裏面側の全面に設けているが、例えば、帯状に間隔をおいて形成したり、枠状に形成したりしてもよく、貼着剥離層５の配置および大きさは適宜選択できる。
【００２６】
カレンダー印刷面２の下方には、三辺がシールされるとともに、残りの一辺が開放されて挿入口が形成されたレシート、メモ用紙などのシート類あるいは小物などが収納できるポケット１０が形成される。
【００２７】
ポケット１０には、透明のポケットの場合に挿入口１１の位置がわかりにくいが、ポケット１０の上辺にラインをカラーで表示して挿入口の位置を示す挿入口位置表示目印１２を設ける。
【００２８】
本実施例では、図４に示すように、書類を装入する際にポケット１０の挿入口１１の位置を挿入口位置表示目印１２のラインにより視認することができるので、レシートやメモなどの紙片１３をポケット１０の挿入口１１に容易に挿入することができる。
【実施例２】
【００２９】
本実施例は挿入口位置表示目印の別実施例を示すもので、図５に示すように、カレンダー印刷面２に挿入口１１にあたる位置に挿入口位置表示目印１２を設ける。本実施例では、カレンダー印刷面２の挿入口１１の位置にラインをカラーで示した挿入口位置表示目印１２を設けて挿入口１１の位置を示す。
【００３０】
本実施例では、カレンダー印刷面２に挿入口位置表示目印１２のラインが設けるので、下シート１の裏面の貼着剥離層５は全面あるいは部分的(図７参照)のいずれであっても、挿入口１１の位置は視認できる。
【００３１】
本実施例ではカレンダー印刷面２に設けられた挿入口位置表示目印１２により挿入口１１の位置を視認することができるので、レシートやメモなどの紙片１３をポケット１０に容易に挿入することができる。
【実施例３】
【００３２】
本実施例は挿入口位置表示目印の別実施例を示すもので、図６に示すように、ポケットをカレンダー印刷面と異なる色にすることにより、カレンダー印刷面の色とポケットの色との境が挿入口位置表示目印となる。
【００３３】
本実施例ではカレンダー印刷面２とポケット１０の境に形成される色違いで示される挿入口位置表示目印１２により挿入口の位置を視認することができるので、レシートやメモなどの紙片をポケット１０に容易に挿入することができる。
【００３４】
本実施例ではポケット１０の色がカレンダー印刷面２と異なるので、下シート１の裏面の貼着剥離層５は全面あるいは部分的(図７参照)のいずれであっても、挿入口１１の位置は視認できる。
【００３５】
本実施例ではカレンダー印刷面２とポケット１０の色違いにより形成される境により挿入口位置表示目印１２により挿入口の位置を視認することができるので、レシートやメモなどの紙片をポケットに容易に挿入することができる。
【実施例４】
【００３６】
本実施例は挿入口位置表示目印の別実施例を示すもので、図７に示すように、ポケット１０が透明の下シートと透明の上シートで形成されるとともに、下シート１のポケット１０の部分の裏面には貼着剥離層５が設けられていないので、透明なポケット１０となる。
【００３７】
ポケット１０が透明でカレンダー印刷面が不透明であることから、透明なポケット１０と不透明なカレンダー印刷面との境目により挿入口位置表示目印１２が示されることにより、挿入口の位置を視認することができるので、レシートやメモなどの紙片をポケットに容易に挿入することができる。
【符号の説明】
【００３８】
１：下シート
２：カレンダー印刷面
３：書き込みスペース
４：境界線
５：貼着剥離層
６：強粘着糊層
７：仕切りシート
８：再剥離糊層
９：剥離シート
１０：ポケット
１１：挿入口
１２：挿入口位置表示目印
１３：紙片
【図１】
2015131396.tif 000003
【図２】
2015131396.tif 000004
【図３】
2015131396.tif 000005
【図４】
2015131396.tif 000006
【図５】
2015131396.tif 000007
【図６】
2015131396.tif 000008
【図７】
2015131396.tif 000009